(57)【特許請求の範囲】
【請求項１】
工具を保持して回転する回転体（２）の回転及び停止を操作するトリガ（５）が電動工具本体（１）に進退自在に設けられ、前記回転体（２）の正逆転の切替えを行うための切替レバー（６）が電動工具本体（１）に回動自在に設けられ、
前記切替レバー（６）は、基端部（８）が電動工具本体（１）に軸支されて先端部（７ａ）が前記トリガ（５）の上方に配置されるレバー本体（７）と、該レバー本体（７）の先端部（７ａ）に、前記トリガ（５）に当接する作業者の指（２０）と接触しないようトリガ（５）から離間して配置された操作部（９）とからなり、
前記電動工具本体（１）に、前記切替レバー（６）の回動範囲及び回動方向と直交する方向の撓みを規制するレバー規制体（１０）が設けられ、
該レバー規制体（１０）は、トリガ（５）を操作する作業者の指（２０）がレバー本体（７）に当接しないようにレバー本体（７）を覆うようトリガ（５）と切替レバー（６）のレバー本体（７）との間に配置されるとともに、前記切替レバー（６）の回動範囲を規制すべくレバー本体（７）の回動方向の両側に配置された側壁（１１）と、両側壁（１１，１１）を連結して切替レバー（６）の回動方向と交差する方向の撓みを規制する連結壁（１２）とを備え、
該連結壁（１２）の下面（１２ｂ）は、前記トリガ（５）上面位置から下方に突出しないようトリガ（５）上面と略同一の高さに形成されていることを特徴とする電動工具。
【発明の詳細な説明】
【０００１】
【発明の属する技術分野】
本発明は、本体に設けられた切替レバーを回動させることにより、回転体の正逆転の切替を行う電動工具の改良に関するものである。
【０００２】
【従来の技術】
従来より、この種の電動工具としては、図６に示す如く、工具を保持して回転させる回転体（図示せず）を前方側に有する本体５１には、前記回転体の正逆転の切替を行う切替レバー５２が基端部５３の点Ｑを回動中心として回動自在に設けられてなり、該切替レバー５２の下方側には、前記回転体の回転と停止を操作するトリガ５４が本体５１に進退可能に設けられてなるものがある。
【０００３】
前記切替レバー５２は、基端部５３が本体５１に回動自在に軸支されてなるレバー本体５５と、該レバー本体５５の先端に設けられ下方に突出してなる操作部５６とを備え、レバー本体５５は基端部５３側が本体５１内に収容され、また、該レバー本体５５は、操作部５６側（先端側）の大部分が本体５１の開口部５１ａから突出して露出してなる。
【０００４】
また、切替レバー５２は、本体５１の開口部５１ａの両側縁部によって回動範囲が規制されると共に、開口部５１ａの上下縁部によって回動方向と交差する方向の撓みも規制されてなる。
【０００５】
かかる電動工具は、本体５１を握って保持した状態で切替レバー５２を正転側に回動して指２０でトリガ５４を押圧すると、モータ（図示省略）に通電して回転体が回転し、切替レバー５２を反対の逆転側に回動すると回転体が逆回転し、トリガ５４の押圧を解除すると回転体が停止するものである。
【０００６】
【発明が解決しようとする課題】
しかるに、上記従来の電動工具にあっては、以下のような問題点があった。
まず第一に、切替レバー５２の大部分が本体５１から突出して露出し、本体５１の開口部５１ａから操作部５６までの距離が長いために、切替レバー５２を誤って作業台にあてるなどした際に、切替レバー５２の本体５１から露出した部分、特に下方に突出している操作部５６に衝撃の力が作用すると、切替レバー５２の回動範囲、及び回動方向と交差する方向（垂直方向等）の撓みは、本体５１の開口部５１ａによって基端部５３側で規制され、開口部５１ａから力の作用点までの距離Ｌが長いために、開口部５１ａを支点として湾曲して破損してしまうことが多いという問題があった。
【０００７】
更に、従来の電動工具は、図６に示す如く、操作部５６とトリガ５４が接近しているために、トリガ５４を操作する際に下方に突出した操作部５６に指２０が当たって操作の妨げとなり、トリガ５４の操作性が極めて悪いという第二の問題があった。その一方、かかる問題を解消するためにレバー本体５５を長くして操作部５６をトリガ５４から離した場合には、切替レバー５２の本体５１の開口部５１ａから露出する部分がより一層長くなって、上述の第一の問題である切替レバー５２の破損の確率が大幅に増加してしまうという不都合が生じた。
【０００８】
また第三の問題として作業中の本体５１のホールド性の問題があった。即ち、この種の電動工具はトリガ５４を握って本体５１を支えて作業を行うものであるが、従来の電動工具にあっては、切替レバー５２の大部分、特にレバー本体５５が本体５１から露出しているために、作業中にトリガ５４を押圧する指２０には回動可能な部材である切替レバー５２（レバー本体５５）が接触する。従って、本体５１を握って作業を行っていると、トリガ５４を押圧する指２０と接触する切替レバー５２が回動するなどして指２０の位置が安定せず、その結果、本体５１の姿勢が安定しなくなって、作業が正確に行えないという問題があった。
【０００９】
このように、従来の電動工具は多くの問題点を有しているものであるが、上記第一の問題点である切替レバー５２の破損を防止するものとしては、実公平３−２５９１２号公報所載のものがある。
【００１０】
該公報所載の電動工具は、切替レバー５２の操作部５６の前方側（回動中心Ｑと反対側）に切替レバー５２の厚みよりも高い正面壁を設けると共に、切替レバー５２の両側に切替レバー５２の回動範囲を規制する側壁を形成してなるものであり、正面からの衝撃と側面からの衝撃を正面壁と両側壁とにより防いで切替レバー５２の破損を防止しようとするものである。
【００１１】
しかるに、該公報所載の電動工具にあっては、切替レバー５２の破損の確率は軽減されるものの、操作部５６の下方側を除く周囲が両壁によって囲まれているために、トリガ５４を操作しようとした際には逆に両壁が障害となり、上述の第二の問題であるトリガ５４の操作性がより一層悪化してしまう問題点があった。また、切替レバー５２の下方側が本体５１から露出し、回動方向と交差する方向の撓みは従来と同様に切替レバー５２の基端部５３側で規制されているために、力の作用点から規制箇所までの距離Ｌが長く、垂直方向若しくは斜め方向の力に対して切替レバー５２が撓んで破損してしまう可能性があった。
【００１２】
更には、切替レバー５２の下方側が本体５１から露出しているために、トリガ５４を押圧している指２０が切替レバー５２のレバー本体５５に接触して、上述の第三の問題点である本体５１のホールド性の問題も解消されていないものであった。
【００１３】
本発明は、上記従来の問題点を解消すべくなされたものであり、切替レバーの破損防止を可能にする他、トリガの操作性を向上することができ、作業中の本体の姿勢を安定化させて作業精度を向上することができる電動工具を提供することを課題とする。
【００１４】
【課題を解決するための手段】
本発明は、上記課題を解決すべくなされたものであり、本発明に係る電動工具は、工具を保持して回転する回転体２の回転及び停止を操作するトリガ５が電動工具本体１に進退自在に設けられ、前記回転体２の正逆転の切替えを行うための切替レバー６が電動工具本体１に回動自在に設けられ、前記切替レバー６は、基端部８が電動工具本体１に軸支されて先端部７ａが前記トリガ５の上方に配置されるレバー本体７と、該レバー本体７の先端部７ａに、前記トリガ５に当接する作業者の指２０と接触しないようトリガ５から離間して配置された操作部９とからなり、前記電動工具本体１に、前記切替レバー６の回動範囲及び回動方向と直交する方向の撓みを規制するレバー規制体１０が設けられ、該レバー規制体１０は、トリガ５を操作する作業者の指２０がレバー本体７に当接しないようにレバー本体７を覆うようトリガ５と切替レバー６のレバー本体７との間に配置され、レバー規制体１０は、切替レバー６の回動範囲を規制すべくレバー本体７の回動方向の両側に配置された側壁１１と、両側壁１１，１１を連結して切替レバー６の回動方向と交差する方向の撓みを規制する連結壁１２とを備え、該連結壁１２の下面１２ｂは、前記トリガ５上面位置から下方に突出しないようトリガ５上面と略同一の高さに形成されていることを特徴とする。
【００１５】
本発明に係る電動工具にあっては、切替レバー６の回動範囲及び回動方向と交差する方向の撓みを切替レバー６の先端部側で規制するレバー規制体１０が設けられてなるので、切替レバー６に誤って衝撃や過度の力が作用した場合であっても、該力の作用点の近傍に位置するレバー規制体１０が切替レバー６の回動範囲外の回動や撓みを確実に規制するものである。
【００１６】
即ち、切替レバー６の基端部８側を規制する従来の電動工具と異なり、本発明に係る電動工具は、レバー規制体１０が切替レバー６の先端部側を規制することによって、外部からの力の作用点からレバー規制体１０の規制箇所までの距離が短くなり、レバー規制体１０が切替レバー６の撓み量を従来に比して大幅に規制するのである。
【００１７】
特に、前記切替レバー６が、基端部８が電動工具本体１に軸支されてなるレバー本体７と、該レバー本体７の先端部７ａに設けられてなる操作部９とからなり、レバー本体７の先端部７ａ側で規制するようレバー規制体１０を構成することにより、レバー規制体１０が操作部９の操作の障害となることなく、作業者が確実に操作部９を操作して切替レバー６を回動させることができるのである。
【００１８】
更に、レバー規制体１０を、切替レバー６の回動範囲を規制すべくレバー本体７の回動方向両側に形成されてなる側壁１１と、該両側壁１１，１１を連結し切替レバー６の回動方向と交差する方向の撓みを規制する連結壁１２とから構成することにより、側壁１１がレバー本体７の所定範囲以上の回動を確実に規制すると共に、連結壁１２がレバー本体７の撓みを規制する。従って、何れの方向から切替レバー６に過度の力が作用しても、レバー規制体１０が確実に切替レバー６の所定範囲以上の回動と撓みを規制するのである。
【００１９】
特に、電動工具本体１には前記回転体２の回転と停止を操作するトリガ５が設けられ、前記レバー規制体１０を、トリガ５とレバー本体７との間に設けて前記レバー本体７の少なくとも先端部７ａを覆うべく形成することにより、レバー規制体１０が確実にレバー本体７の先端部７ａ側を規制すると共に、レバー規制体１０がトリガ５を押圧する作業者の指と回動自在なレバー本体７との接触を防止する。従って、作業者はレバー本体７に触れることなく電動工具本体１を把持することができ、作業中の電動工具本体１の姿勢を安定化させた状態で正確に作業を行うことができるのである。
【００２０】
また、前記操作部９を前記トリガ５に当接する作業者の指２０と接触しないようにトリガ５から離間することにより、作業者がトリガ５を押圧する際に、指２０が操作部９と干渉することなく確実にトリガ５を押圧することができ、回転体２の回転と停止を円滑に繰り返し行うことができるのである。
【００２１】
【発明の実施の形態】
以下、本発明の一実施形態について図面を参酌しつつ説明する。
図１乃至図３において、１はドリルの刃やビット等の工具を保持して回転する回転体２が設けられてなる電動工具本体（以下、単に「本体」という）で、該本体１には、電源コード３が取り付けられ、該電源コード３から電力をモータ（図示せず）へ供給して前記回転体２を回転させるよう構成されてなる。
【００２２】
４は本体１に設けられてなるスイッチ部で、該スイッチ部４は、前記モータに電力を通電すべく構成されてなる。
【００２３】
５は前記スイッチ部４に接続されてなるトリガで、該トリガ５は、本体１のスイッチ部４に進退自在に設けられることにより前記回転体２の回転と停止を操作すべく形成されてなる。
【００２４】
６は前記トリガ５の上方に設けられ前記回転体２の正逆転の切替を行う切替レバーで、該切替レバー６は、基端部８の点Ｐを回動中心として本体１のスイッチ部４に回動自在に設けられてなる。（図２及び図３参照）
該切替レバー６は、基端部８が本体１のスイッチ部４に軸支されてなるレバー本体７と、該レバー本体７の先端部７ａに一体的に形成され下方のトリガ５側に突出してなる操作部９とから構成されてなる。
【００２５】
１０は前記トリガ５とレバー本体７との間に設けられてなる規制手段としてのレバー規制体で、該レバー規制体１０は、図２及び図３に示す如く、レバー本体７の先端部７ａ側を覆うべく前記本体１と一体的に形成されてなる。
【００２６】
具体的には、レバー規制体１０は、図４に示す如く、切替レバー６の回動範囲を規制すべくレバー本体７の回動方向の両側に形成されてなる側壁１１，１１と、該両側壁１１，１１を連結し切替レバー６の回動方向と交差する方向の撓みを規制する連結壁１２とから構成されて断面視略コの字状に形成されてなり、側壁１１の内面１１ａと連結壁１２の内面１２ａは、切替レバー６の回動時や上下方向の撓み時にレバー本体７の先端部７ａと当接して切替レバー６の回動範囲と上下方向の撓みを規制可能に形成されてなる。
また、レバー規制体１０は、連結壁１２の下面１２ｂがトリガ５の上面と略同一の高さとなるように形成され、トリガ５の上面位置から下方に突出しないように形成されてなる。
【００２７】
このように、レバー本体７は、先端部７ａ側がレバー規制体１０と本体１の下面１ａによって外周を包囲されて覆われ、しかも、基端部８側も本体１内に収容されて、レバー本体７全体が本体１とレバー規制体１０によって覆われてなる。即ち、切替レバー６は、先端の操作部９のみが本体１から突出して露出して、図２に示す如く、前記トリガ５を操作する作業者の指２０がレバー本体７に当接しないように設けられてなり、しかも、前記操作部９は、トリガ５に当接する指２０と接触しないようにトリガ５から所定間隔離間してなる。
【００２８】
次に上記構成からなる電動工具の使用状態について説明する。
まず、回転体２に工具を装着した後、本体１を把持して指２０をトリガ５に当接させてトリガ５を本体１側に押圧する。
【００２９】
トリガ５が押圧されると、スイッチ部４を介して電源コード３からモータへ電力が通電し、工具を保持した回転体２が回転することにより、例えば穿設等の作業を開始することができ、トリガ５の押圧を解除すると、スイッチ部４の通電が解除されてモータが停止し回転体２の回転が止まる。
【００３０】
この作業中に切替レバー６の操作部９を図３に示す矢印Ｂ方向に回動すると、回転体２の回転が切り替わって反対方向（逆転）に回転し、再度図３の矢印Ａ方向に回動すると回転体２が正転する。
【００３１】
このように、切替レバー６の操作部９を回動させることにより、回転体２の正転と逆転を繰り返し切り替えて穿設作業等を行うことができるのである。
【００３２】
かかる穿設作業等を正確に行うには、本体１の姿勢を安定化させる必要があるが、本実施形態における電動工具は、レバー本体７がレバー規制体１０（本体１）によって覆われてなるので、作業者の指２０は、回動自在なレバー本体７には当接せず固定されたレバー規制体１０と当接することになる。従って、従来のようにレバー本体７が露出している場合に比して、作業者が本体１を確実に把持することができ、本体１の姿勢を安定化させて作業を行うことができる結果、穿設作業等の加工精度を大幅に向上させることができるのである。
【００３３】
更に、操作部９をトリガ５に当接している指２０と接触しないようにトリガ５から所定間隔離間してなるので、指２０が操作部９と干渉することなく確実にトリガ５の押圧と解除を行うことができるのである。従って、従来のようにトリガ５の押圧時に操作部９に指２０が引っかかるなどの不都合が生じないので、作業の効率が従来に比して大幅に向上するのである。
【００３４】
また、切替レバー６は、レバー本体７の先端部７ａ側がレバー規制体１０によって覆われてなるので、作業中に本体１を落下するなどした際にも切替レバー６に過度の力が作用して破損する確率が従来に比して大幅に減少することになる。
【００３５】
そのうえ、仮に、露出している操作部９に過度の力が作用した場合であっても、レバー本体７の先端部７ａ側にレバー規制体１０が設けられてなるので、レバー規制体１０が切替レバー６の所定範囲外の回動や上下方向等の撓みを確実に規制して切替レバー６の破損を防止するのである。
【００３６】
即ち、レバー規制体１０がレバー本体７を規制する規制箇所が、操作部９に作用する力の作用点の近傍に位置するので、切替レバー６が撓む際の支点から力の作用点までの距離Ｌが短くなり、その結果、従来と同様の力が作用しても従来に比して切替レバー６の撓み量を極めて小さく抑制することができ、切替レバー６の破損が確実に防止されるのである。
【００３７】
特に、レバー規制体１０が本体１と一体的に形成されてなるので、衝撃に対するレバー規制体１０の強度が向上し、レバー規制体１０が切替レバー６をより一層確実且つ強固に規制することができる。
【００３８】
尚、操作部９をトリガ５から所定間隔離間することによってレバー本体７の長さは従来に比して長くなっているが、本発明に係る電動工具は、従来のように基端部８側で切替レバー６を規制したものと異なり切替レバー６の先端部側（レバー本体７の先端部７ａ側）を規制しているので、外部からの力の作用点からの距離Ｌが短くなり切替レバー６の撓みを抑制することができるのである。
【００３９】
以上のように、本実施形態における電動工具は、レバー本体７の先端部７ａ側をレバー規制体１０によって覆うことにより、何れの方向からの衝撃に対しても切替レバー６の破損を防止できるうえに、トリガ５の操作性が向上して従来に比して作業効率が向上し、作業中の本体１の姿勢を安定化させて作業の正確さをも向上させることができるのである。
【００４０】
また、レバー規制体１０が本体と一体的に形成されてなるので、レバー規制体１０の強度が向上して、より一層確実に切替レバー６の破損を防止することができるうえに、レバー規制体１０を別体とする場合に比して安価に製造できる利点がある。
【００４１】
尚、上記実施形態においては、レバー規制体１０が、レバー本体７の本体１から突出した部分全てを覆うべく形成されてなるものについて説明したが、レバー規制体１０の形状はこれに限定するものではなく種々の形状を採用することが可能である。
【００４２】
例えば、図５に示す如く、レバー規制体１０が、レバー本体７の先端部７ａのみを覆うべく形成されてなるものであってもよく、かかる場合にも、レバー本体７の先端部７ａがレバー規制体１０によって規制されて外部からの過度の力が操作部９に作用した際には、該力の作用点から規制箇所までの距離Ｌが短くなり、切替レバー６の撓み量を抑制して破損を防止することができる。
【００４３】
但し、レバー本体７全体をレバー規制体１０で覆うことにより、トリガ５を押圧する作業者の指２０が回動自在なレバー本体７と当接することを防止できるので、作業者が本体１を確実に把持して作業中の本体１の姿勢を安定化させることができ、穿設作業等の加工精度を向上させることができる利点がある。
【００４４】
尚、レバー規制体１０は、本体１と別体であっても、また、トリガ５とレバー本体７との間以外に構成されてなるものであっても本発明の意図する範囲内である。
【００４５】
【発明の効果】
以上のように、本発明に係る電動工具にあっては、切替レバーの回動範囲及び回動方向と交差する方向の撓みを切替レバーの先端部側で規制するレバー規制体が設けられてなるので、レバー規制体が切替レバーの回動範囲外の回動や回動方向と交差する方向の撓みを確実に規制して切替レバーの破損を確実に防止することができるのである。
【００４６】
特に、レバー規制体をレバー本体の先端部側で規制するよう構成することにより、切替レバーの破損を防止することができるうえに、レバー規制体が操作部の操作の障害となることなく回転体の正逆転を円滑に切り替えて作業することができ、作業効率を向上させることができる。
【００４７】
更に、切替レバーの回動範囲を規制すべくレバー本体の回動方向の両側に形成されてなる側壁と、該両側壁を連結し切替レバーの回動方向と交差する方向の撓みを規制する連結壁とを備えるレバー規制体を設けることにより、何れの方向から切替レバーに過度の力が作用しても、レバー規制体が確実に切替レバーの撓み等を規制するので、切替レバーの破損を確実に防止することができる。
【００４８】
特に、レバー規制体をトリガとレバー本体との間に設けてレバー本体の少なくとも先端部側を覆うべく形成することにより、レバー規制体が切替レバーを規制して破損が防止できるうえに、作業者はレバー本体に触れることなく電動工具本体を把持することが可能となって、作業中の電動工具本体の姿勢が安定化し、作業精度を向上させることができるのである。
【００４９】
また、操作部をトリガに当接する作業者の指と接触しないようにトリガから離間することにより、作業者の指と操作部との干渉を防止することができ、円滑にトリガの押圧、解除を行うことができる結果、作業効率を向上させることができるのである。
【図面の簡単な説明】
【図１】本発明の一実施形態における電動工具の正面図。
【図２】一実施形態の電動工具の要部を示す一部断面を含む正面図。
【図３】一実施形態の電動工具の要部を示す下面図。
【図４】一実施形態の電動工具の要部を示す図２のＲ−Ｒ線端面図。
【図５】他実施形態の電動工具の要部を示す下面図。
【図６】従来の電動工具の要部を示す正面図。
【符号の説明】
１…本体、２…回転体、３…電源コード、４…スイッチ部、５…トリガ、６…切替レバー、７…レバー本体、７ａ…先端部、８…基端部、９…操作部、１０…レバー規制体（規制手段）、１１…側壁、１２…連結壁、２０…指
【図１】
0003626845.tif 000002
【図２】
0003626845.tif 000003
【図３】
0003626845.tif 000004
【図４】
0003626845.tif 000005
【図５】
0003626845.tif 000006
【図６】
0003626845.tif 000007